(57)【特許請求の範囲】
【請求項１】
植木鉢を地面より高い位置で支持するための植木鉢用架台であって、下端部が地盤中に埋設されることで、地面から突出した状態で立設される杭部と、この杭部に水平に固定されて植木鉢が載置される載置台と、この載置台から上方に突出して、前記載置台に載置された植木鉢の底部の穴に挿入可能な挿入部とを有しており、
前記杭部には、支持突部が前記杭部の外周部から突出して形成され、一方、前記載置台には、前記杭部が挿通可能な貫通孔が形成され、前記載置台は、その貫通孔に杭部が挿通された状態で前記支持突部によって下方から支持固定され、前記載置台より上方にある杭部が前記挿入部とされており、
前記杭部が筒状に形成されるとともに、該杭部の内部にはパイプが挿入され、このパイプの上端部が前記杭部の上端開口に臨まされ、かつ該パイプの下端部が前記杭部の外周部から突出されていることを特徴とする植木鉢用架台。
【請求項２】
請求項１記載の植木鉢用架台において、前記支持突部が、前記杭部にその軸方向に所定間隔で形成されていることを特徴とする植木鉢用架台。
【請求項３】
請求項１または２に記載の植木鉢用架台において、前記杭部の外周部から突出しているパイプには、該パイプ内に給水する給水開始時刻、供給量などの給水条件に基づいて、給水を制御する給水制御手段が接続されていることを特徴とする植木鉢用架台。
【発明の詳細な説明】
【０００１】
【発明の属する技術分野】
本発明は、ガーデン等において植木鉢を地面より高い位置で支持することができる植木鉢用架台に関するものである。
【０００２】
【従来の技術】
住宅等の敷地内に、木や草花によってガーデンを形成する場合、敷地内に木や草花を植え込んでいるが、例えば、丈がそれほど伸びない草花を植えた場合、この草花が該草花より丈の長い植木に覆われてしまって、観賞できなくなる場合がある。
このような場合、前記草花を植木鉢に植えて、該植木鉢を所定の高さを有する架台上に載置することで、丈がそれほど伸びない草花を観賞できるようにすることがある。
【０００３】
【発明が解決しようとする課題】
ところが、上記のような場合、植木が多数植え込まれている場所では、所望の位置に前記架台を設置することが難しい場合がある。
また、複数の植木鉢をそれぞれ所望の高さ位置に設置する場合、高さの異なる架台を複数用意しなければならないという問題がある。
さらに、架台に植木鉢を載置しただけでは、風や地震等の際に植木鉢が架台から落下する可能性があり、この落下を防止するには、植木鉢を架台に何らかの手段を用いて固定しなければならないので、これに手間がかかってしまう。
また、植木鉢に植えられた草花に水を給水する場合、通常人手によって行っているので、これにも手間がかかるばかりか、給水忘れてしまうとい事態が生じる可能性がある。
【０００４】
本発明は、上記事情に鑑みてなされたもので、植木鉢を所望の場所に、所望の高さ位置で容易に、かつ落下等を防止して確実に支持することができ、また、給水を容易かつ確実に行うことができる植木鉢用架台を提供することを目的としている。
【０００５】
【課題を解決するための手段】
上記目的を達成するために、本発明の請求項１の植木鉢用架台は、例えば図１〜図７に示すように、下端部が地盤中に埋設されることで、地面から突出した状態で立設される杭部１と、この杭部１に水平に固定されて植木鉢１６が載置される載置台５と、この載置台５から上方に突出して、前記載置台５に載置された植木鉢１６の底部の穴１６ａに挿入可能な挿入部６とを有しており、
前記杭部１には、支持突部４・・・が前記杭部１の外周部から突出して形成され、一方、前記載置台５には、前記杭部１が挿通可能な貫通孔５ａが形成され、前記載置台５は、その貫通孔５ａに杭部１が挿通された状態で前記支持突部４・・・によって下方から支持固定され、前記載置台５より上方にある杭部１が前記挿入部６とされており、
前記杭部１が筒状に形成されるとともに、該杭部１の内部にはパイプ７が挿入され、このパイプ７の上端部が前記杭部１の上端開口に臨まされ、かつ該パイプ７の下端部が前記杭部１の外周部から突出されていることを特徴とする。
【０００６】
前記杭部１は、例えば円筒状または円柱状をなすロッドで形成され、その下端部は、杭部１を地盤中に打ち込み易くするために尖った形状に形成される。また、杭部１の材質としては、例えばステンレス等の金属や、木材、合成樹脂等が挙げられるがこれに限るものではない。前記載置台５は、例えば、円板等の板体で形成され、その材質としては、前記杭部１と同様に、ステンレス等の金属や、木材、合成樹脂等が挙げられるがこれに限るものではない。前記挿入部６は、載置台５から上方に突出していればよく、前記杭部１と同軸に形成されるのが望ましい。また、前記挿入部６は、載置台５に立設したものでもよく、後述する請求項２の場合のように、前記杭部１の上端部を挿入部６としてもよい。
また、前記支持突部４…は、例えば杭部の周方向に所定間隔で四つ形成し、各支持突部４…の頂部を結ぶ仮想円の直径を前記載置台５に形成された貫通孔５ａの直径より大きく設定する。また、前記載置台５に形成する貫通孔５ａは、前記杭部１の直径とほぼ等しいか若干大きく形成する。
また、前記パイプ７の上端部を杭部１の上端開口に臨ますには、例えば、杭部１の上端開口内周面に、リング状の保持部材８を固定し、この保持部材８にパイプ７の上端部を挿通したうえで、該パイプ７の上端部に前記保持部材８の内径より大きな外径を有するノズル部１０を取付け、このノズル部１０を保持部材８の上面に固定すればよい。また、パイプ７の下端部を前記杭部１の外周部から突出させるには、例えば、杭部１の外周部の所定の位置に貫通孔２ａを形成し、パイプ７の下端部を曲げて該貫通孔２ａから突出させればよい。したがって、このパイプ７はゴムホース等の可撓性を有するものが望ましい。
【０００７】
請求項１の植木鉢用架台においては、その杭部１を地盤に打ち込んで該杭部１の下端部を地盤に埋設することで、植木１５が多数植え込まれている場所等においても、所望の位置に植木鉢用架台を設置することができ、また、前記杭部１の地盤中における埋設長さを調整することで、植木鉢１６を載置する載置台５の地面からの高さを容易に調整することができるので、植木鉢１６を所望の高さ位置に設置することができ、さらには、載置台５に載置された植木鉢１６の底部の穴１６ａに挿入部６が挿入されると、該挿入部６が植木鉢１６内の土に刺し込まれるので、植木鉢１６は載置台５に容易かつ確実に固定される。
【００１０】
また、載置台５に形成された貫通孔５ａに杭部１を下方から挿通して、前記支持突部４…によって載置台５を下方から支持固定することで、簡単に植木鉢用架台が組み立てられるとともに、載置台５より上方にある杭部１を前記挿入部６としているので、別途挿入部を形成する必要がない。
さらに、前記杭部１の外周部から突出しているパイプ７の下端部を、水道の蛇口等の水源１３に接続して該パイプ７に水を給水すると、この水はパイプ７内を流れてその上端部から放出されて、植木鉢１６内の土中に給水されることになるので、該植木鉢１６に植えられた草花に容易に水を給水することができる。
【００１１】
請求項２の植木鉢用架台は、請求項１において、前記支持突部４…を、前記杭部２にその軸方向に所定間隔で形成したものである。
【００１２】
請求項２の植木鉢用架台にあっては、請求項１と同様に作用効果を得ることができるのは勿論のこと、前記支持突部４…が、前記杭部２にその軸方向に所定間隔で形成されているので、支持突部４…を適宜選択し、この選択された支持突部４…によって載置台５を支持することで、該載置台５の地面からの高さ位置を調整することができる。
【００１６】
請求項３の植木鉢用架台は、請求項１または２において、前記杭部１の外周部から突出されているパイプ７に、該パイプ７内に給水する給水開始時刻、給水量などの給水条件に基づいて、給水を制御する給水制御手段１１を接続したものである。
【００１７】
前記給水制御手段１１を前記杭部１の外周部から突出しているパイプ７に接続する場合、該パイプ７をホース１２を介して給水制御手段１１に接続し、この給水制御手段１１と水道の蛇口等の水源１３とをホース１４で接続すればよい。
また、前記給水制御手段１１は、例えば電磁弁、時計部、操作部、制御部等を内蔵しており、操作部のキーを操作することで所定の給水条件を設定し、この給水条件に基づく制御信号が制御部から電磁弁に出力されることで、電磁弁を自動的に開閉することにより、前記パイプ７に前記所定量の水を所定時刻に給水するようになっている。
【００１８】
請求項３の植木鉢用架台においては、請求項１または２と同様の作用効果を得ることができるのは勿論のこと、前記給水制御手段１１に予め入力された給水開始時刻、給水量などの所定の給水条件に基づいてパイプ７内への給水が前記給水制御手段１１によって制御されて、植木鉢１６内に給水される。したがって、従来の人手による場合と異なり、植木鉢１６への給水を忘れることがなく、自動的かつ確実に植木鉢１６に給水を行うことができる。
【００１９】
【発明の実施の形態】
以下、図面を参照して本発明の植木鉢用架台の実施の形態の一例について説明する。
図１は本例の植木鉢用架台を示す正面図、図２は同側面図、図３は同平面図、図４は図１におけるＡ−Ａ線視断面図、図５は図３におけるＢ−Ｂ線視断面図であり、これらの図において符号１は植木鉢用架台の杭部を示す。
【００２０】
前記杭部１は、ステンレスまたは硬質の塩化ビニールで形成された円筒状をなす杭本体２と、この杭本体２の下端部に取付けられたキャップ３とで構成されている。前記キャップ３はその下端部が尖った形状に形成されるとともに、上端部が円筒状に形成され、この円筒状の上端部に、前記杭部本体２の下端部を嵌入することで、杭本体２の下端部に取付けられている。
【００２１】
また、前記杭本体２の外周部には、支持突部４…が突出形成されている。これら支持突部４…は、杭本体２の軸方向の所定の位置において、周方向に所定間隔で四つ形成されるとともに、杭本体２の軸方向に所定間隔で形成されている。
さらに、前記杭本体２の外周部に周方向に所定間隔で四つ形成された支持突部４…は、それらの頂部を結ぶ仮想円の直径が、後述する載置台５に形成された貫通孔５ａの直径より大きくなるように形成されている。
【００２２】
また、前記杭本体２には載置台５が水平に取付けられている。この載置台５は、その上面に植木鉢を載置するもので、円板状に形成されその中央部には、貫通孔５ａが形成されている。この貫通孔５ａは、その直径が前記杭本体２の直径とほぼ等しいか若干大きく形成されたもので、これによって、該貫通孔５ａには杭本体２が挿通可能となっている。
【００２３】
そして、前記載置台５は、その貫通孔５ａに杭本体２を下方から挿通し、該載置台５の下面を、杭本体２の上端部に周方向に四つ形成された前記支持突部４…に当接することで、杭本体２の上端部に下方から支持固定されている。
さらに、前記載置台５より上方に突出する杭本体２の上端部は、挿入部６とされている。この挿入部６は、載置台５に載置される植木鉢の底部の穴に挿入されるもので、該挿入部６の上端部は斜めに切り欠かれている。
【００２４】
また、前記杭本体２の内部には、図５に示すように、パイプ７が挿入されている。このパイプ７は載置台５に載置される植木鉢に給水するためのものであり、可撓性を有するゴムホース等で形成されている。
また、前記パイプ７の上端部は、前記杭本体２の上端開口に以下のようにして臨まされている。
すなわち、杭本体２の上端開口内周面には、リング状の保持部材８が固定されており、この保持部材８には、前記パイプ７の上端部が挿通されている。このパイプ７の上端部には、前記保持部材８の内径より大きな外径を有するノズル部１１０が取付けられており、このノズル部１０の下端面が前記保持部材８の上面に当接されることで、前記パイプ７の上端部が、前記杭本体２の上端開口に臨まされている。そして、このノズル部１０からは、パイプ７内を流れてきた水が放出されるようになっている。
【００２５】
一方、前記パイプ７の下端部は水平に曲げられ、前記杭本体２の外周部に形成された貫通孔２ａから外側に突出され、この突出したパイプ７の下端部には、図６に示すように、該パイプ７内への給水を制御する給水制御手段１１が接続されている。
前記給水制御手段１１は、電磁弁、時計部、操作部、制御部等を内蔵しており、操作部のキーを操作することで所定の給水条件を設定し、この給水条件に基づく制御信号が制御部から電磁弁に出力されることで、電磁弁を自動的に開閉することにより、前記パイプ７に前記所定量の水を所定時刻に給水するようになっている。
【００２６】
なお、前記給水条件とは、例えば、パイプ７内に水を給水する給水開始時刻、給水量などであり、この給水量は、単位時間当たりの給水量と給水時間によって決定される。
そして、前記給水制御手段１１と前記パイプ７とはホース１２で接続されており、該給水制御手段１１は、水道の蛇口等の水源１３にホース１４で接続されるようになっている。
【００２７】
次に、上記構成の植木鉢用架台を使用する方法について説明する。
まず、植木鉢用架台の杭部１を、地盤に打ち込むことで該杭部１の下端部を地盤に埋設する。この場合、杭部１には、前記載置台５を取付けておいてもよいし、杭部１を地盤に打ち込んだ後に、載置台５を取付けてもよい。
また、前記杭部１の打ち込み量（長さ）を調整することで、載置台５の地面からの高さを調整する。例えば、図６に示すように、杭部１を打ち込んだ地盤の周囲に植え込まれている植木１５の上端部に載置台５が位置するように調整する。
【００２８】
次に、杭本体２の外周部から突出しいるパイプ７に、ホース１２を介して給水制御手段１１を接続するとともに、この給水制御手段１１にホース１４を介して水道の蛇口１３を接続する。
一方、前記載置台５上に、植木鉢１６を載置するとともに、図７に示すように、この植木鉢１６の底部の穴１６ａに、杭本体２の上端部の挿入部６を挿入して植木鉢１６内の土に刺し込む。
このように、植木鉢１６内の土に前記挿入部６が刺し込まれることで、植木鉢１６は載置台５に容易かつ確実に固定される。
【００２９】
また、植木１５が植え込まれている場所等においても、所望の位置に杭部１を打ち込むことで、植木鉢用架台を容易に設置することができ、また、上述したように、杭部１の打ち込み量を調整することで、載置台５の地面からの高さを容易に調整することができるので、植木鉢１６を所望の高さ位置に設置することができる。したがって、植木鉢１６に丈がそれほど伸びない草花を植え込むことで、その回りに丈の長い植木１５が存在していても、前記草花を観賞することができる。
【００３０】
上記のようにして、植木鉢１６を設置したならば、前記給水制御手段１１の操作部のキーを操作して、例えば、給水開始時刻と給水時間とを入力する。
そして、制御手段１１の時計部による計時の結果、設定した給水時刻になると、制御部から電磁弁に制御信号に出力されることで、電磁弁が一定時間開状態となって、水がホース１２からパイプ７内を流れて、その上端部のノズル部１０から放出されて、植木鉢１６内の土中に給水される。
したがって、従来の人手による場合と異なり、植木鉢１６への給水を忘れることがなく、自動的かつ確実に植木鉢１６に給水を行うことができる。
【００３１】
また、上記構成の植木鉢用架台では、前記杭本体２にその軸方向に所定間隔で支持突部４…が形成されているので、支持突部４…を適宜選択し、この選択された支持突部４…によって載置台５を支持することで、該載置台５の地面からの高さ位置を調整することができる。
例えば、載置台５の貫通孔５ａの内周面に、軸方向に延在しかつ前記支持突部４の幅より若干大きい幅を有する溝を、周方向に等間隔で四条形成しておき、これら溝と、１段目の支持突部４…とを合わせたうえで、載置台５を下方にスライドさせることで、載置台５を１段目の支持突部４…を越えさせ、さらに、載置台５を所定角度だけ回転させて、前記溝を、２段目の支持突部４…からずらすことによって、該２段目の支持突部４…によって、載置台５の下面を支持することができる。
【００３２】
なお、上記の例では、杭本体２に載置台５を一つ取付けるようにしたが、これに限ることなく、杭本体２に二つ以上の載置台を取付けるようにしてもよい。この場合、上から二段目以降の載置台には、該載置台から上方に突出する挿入部を形成しておき、この挿入部を植木鉢の底部の穴に挿入することで、二段目以降の載置台に載置された植木鉢を固定することができる。
また、杭本体２から分岐する分岐軸を形成し、この分岐軸にも載置台を取付けるようにしてもよい。この場合、前記分岐軸を円筒状に形成し、前記パイプ７を分岐して分岐軸内に挿入すれば、分岐軸の載置台に載置された植木鉢にも自動的に給水することができる。
【００３３】
【発明の効果】
以上説明したように、本発明の請求項１の植木鉢用架台によれば、その杭部を地盤に打ち込んで該杭部の下端部を地盤に埋設することで、植木が多数植え込まれている場所等においても、所望の位置に植木鉢用架台を設置することができる。
また、前記杭部の地盤中における埋設長さを調整することで、植木鉢を載置する載置台の地面からの高さを容易に調整することができるので、植木鉢を所望の高さ位置に設置することができ、よって、植木鉢に丈がそれほど伸びない草花を植え込むことで、その回りに丈の長い植木が存在していても、前記草花を観賞することができる。
さらに、載置台に載置された植木鉢の底部の穴に挿入部を挿入することで、該挿入部が植木鉢内の土に刺し込まれるので、植木鉢を載置台に容易かつ確実に固定することができる。
【００３４】
また、載置台に形成された貫通孔に杭部を下方から挿通して、前記支持突部によって載置台を下方から支持固定することで、簡単に植木鉢用架台を組み立てることができるとともに、載置台より上方にある杭部を前記挿入部としているので、別途挿入部を形成する必要がない。
さらに、前記杭部の外周部から突出しているパイプの下端部を、水道の蛇口等の水源に接続して該パイプに水を給水することにより、この水がパイプ内を流れてその上端部から放出されて、植木鉢内の土中に給水されるので、該植木鉢に植えられた草花に容易に水を給水することができる。
【００３５】
請求項２の植木鉢用架台によれば、請求項１と同様に効果を得ることができるのは勿論のこと、前記支持突部が、前記杭部にその軸方向に所定間隔で形成されているので、支持突部を適宜選択し、この選択された支持突部によって載置台を支持することで、該載置台の地面からの高さ位置を調整することができ、よって、植木鉢を所望の高さ位置に設置することができる。
【００３７】
請求項３の植木鉢用架台によれば、請求項１または２と同様の効果を得ることができるのは勿論のこと、前記給水制御手段に予め入力された給水条件に基づいてパイプ内への給水が制御されて、植木鉢内に給水されるので、従来の人手による場合と異なり、植木鉢への給水を忘れることがなく、自動的かつ確実に植木鉢に給水を行うことができる。
【図面の簡単な説明】
【図１】本発明の植木鉢用架台の一例を示すもので、植木鉢用架台の正面図である。
【図２】同、植木鉢用架台の側面図である。
【図３】同、植木鉢用架台の平面図である。
【図４】図１におけるＡ−Ａ線視断面図である。
【図５】図３におけるＢ−Ｂ線視断面図である。
【図６】本発明の植木鉢用架台の一例を示すもので、植木鉢用架台に植木鉢を設置した状態を示す斜視図である。
【図７】同、植木鉢用架台の載置台に植木鉢を設置した状態を示す要部の縦断面図である。
【符号の説明】
１  杭部
４  支持突部
５  載置台
５ａ  貫通孔
６  挿入部
７  パイプ
１１  給水制御手段
１３  水源
１６  植木鉢
【図１】
0003926003.tif 000002
【図２】
0003926003.tif 000003
【図３】
0003926003.tif 000004
【図４】
0003926003.tif 000005
【図５】
0003926003.tif 000006
【図６】
0003926003.tif 000007
【図７】
0003926003.tif 000008